【手続補正書】
【提出日】平成18年2月1日(2006.2.1)
【手続補正１】
【補正対象書類名】明細書
【補正対象項目名】全文
【補正方法】変更
【補正の内容】
【書類名】            明細書
【発明の名称】        建築構造物の倒壊現場での人命救助方法
【特許請求の範囲】
【請求項１】倒壊建築構造物からの人命救助方法であって、倒壊建築構造物の隙間に、扁平な金属板状拡張体を挿入し、拡張体内に流体を注入して、拡張体の厚みを膨張拡大させて倒壊物の隙間を拡大させることを特徴とする建築構造物の倒壊現場での人命救助方法。
【請求項２】請求項１において、金属板状拡張体は、２枚の同一形状の薄い鉄板を重ね合わせてその周縁を溶接し、鉄板の端部に流体注入口を設けたものである建築構造物の倒壊現場での人命救助方法。
【請求項３】請求項３において、金属板状拡張体の全体の板厚みが３．２ｍｍである建築構造物の倒壊現場での人命救助方法。
【請求項４】請求項１〜３のいずれかにおいて、流体は、可搬型のタンク内に収納された水であって、この水をタンクに付設された手動ポンプで金属板状拡張体に注入することを特徴とする建築構造物の倒壊現場での人命救助方法。
【発明の詳細な説明】
【０００１】
【発明の属する技術分野】
この発明は、大規地震などで建築構造物が倒壊した際の人命救助方法に関する。
【０００２】
【従来の技術】
大規模地震が発生した場合には、耐震強度が十分でない鉄筋コンクリート建築構造物の倒壊が起こることがあり、倒壊物中に人が取り残されることがある。このような事故が発生した際、クレーンなどの重機が必要になるが、地震の場合には、現場へ緊急に運び込むことが不可能である。
【０００３】
【発明が解決しようとする課題】
倒壊した鉄筋コンクリートの重量物は、人力による除去が困難であり、クレーン車などの大型作業車が必要になるが、地震などの場合には、大型作業車を救助現場の近傍まで導入する自体が難しい。
【０００４】
そこで、コンクリート倒壊物をブレーカーなどで破砕したり、あるいは、コアボーリングマシンやエンジンカッターなどで、倒壊物を切断して、人命救助の通路空間を確保していた。
【０００５】
ところが、このような救助方法では、時間が掛かり過ぎ、迅速な救助方法が希求されていた。
【０００６】
本発明は、このような従来の問題点に鑑みてなされたものであって、その目的とするところは、短時間で救命用の通路空間を確保することである。
【０００７】
【課題を解決するための手段】
上記目的を達成するため、倒壊物の隙間に、扁平な金属板状拡張体を挿入し、拡張体内に流体を注入して拡張体の厚みを膨張拡大させ、倒壊物の隙間を拡大するようにした。
【０００８】
本発明の人命救助方法によれば、扁平な金属板状拡張体を倒壊物の隙間に挿入して、拡張体内に液体など流体を注入して、拡張体の厚みを膨張拡大させて、倒壊物の隙間を拡大させて救命用の通路空間とする。
【０００９】
この場合、建築構造物の倒壊現場では、コンクリートなどの倒壊物中に、必ず僅かな隙間があるので、その隙間に扁平な金属板状拡張体を挿入することができる。
【００１０】
金属板状拡張体は、扁平なもので、比較的軽量であって、簡単に運搬することができるとともに、これを膨張拡大させる流体には、水を使用できるので、水道が使用できれば、水道水を注入すればよく、短時間に救命用の通路空間を確保することが可能になる。
【００１１】
金属板状拡張体は、２枚の同一形状の薄い鉄板を重ね合わせて、その周縁を相互に溶接して鉄板間に空間を形成し、鉄板の端部に空間に連通する流体注入口を設けたものである。
【００１２】
流体は、可搬型のタンク内に収納された水であって、この水をタンクに付設したポンプで金属板状拡張体に注入する。
【００１３】
【発明の実施の形態】
以下、本発明の好適な実施の形態について、添付図面に基づいて詳細に説明する。図１から図４は、本発明にかかる建築構造物の倒壊現場での人命救助方法の１実施例を示す。
【００１４】
大規模地震が発生した際に、鉄筋コンクリート建築構造物が倒壊した際、人が倒壊物１０の中に取り残された場合に適用され、人命救助用の通路空間１２を確保することが基本である。
【００１５】
建築構造物が地震により倒壊すると、壁やスラブなどの比較的大きな板状のものと、これらが細かく砕かれたブロック状のものが、ランダムに交錯して、無秩序に積み重なった形態になることが多い。
【００１６】
まず、図１に示すように、倒壊物１０に通路空間１２を形成したい個所を選択し、次に、図２に示すように、通路空間１２を形成した個所の近傍に扁平な金属板状拡張体１４を設置する。
【００１７】
この板状拡張体１４の設置個所は、倒壊物１０の間に存在する隙間であり、コンクリート建築構造物が倒壊すると、この種の隙間は、必ず存在するので、通路空間１２の形成が必要な個所に近接した隙間を選択して、その中に金属板状拡張体１４を挿入する。
【００１８】
金属板状拡張体１４は、図３に示すように、２枚の同一形状の薄い鉄板１４ａから形成されている。板状拡張体１４は、２枚の薄い鉄板１４ａを重ね合わせて、その周縁を相互に溶接して鉄板１４ａ間に薄い内部空間１４ｂを形成し、鉄板１４ａの端部に、内部空間１４ｂ内に連通する流体注入口１４ｃが設けられている。
【００１９】
金属板状拡張体１４は、例えば、幅６０ｃｍ、長さ６０ｃｍの正方形で、全体の板厚みは、３．２ｍｍとして、薄い扁平な平板状である。
【００２０】
このような金属板状拡張体１４を隙間に差し込み、板状拡張体１４に水Ｗを注入して、板状拡張体１４を膨張拡大させる。この際には、図３に示すように、板状拡張体１４の注入口１４ｃに、接続パイプ１８を介して、ポンプ２０と水Ｗが収容されたタンク２２が接続される。
【００２１】
タンク２２は水Ｗが収容されている可搬型のものであり、その側部にポンプ２０が付設されている。接続パイプ１８には、両端にコネクタ２４が固設されていて、このコネクタ２４は、ポンプ２０と注入口１４ｃとワンタッチ接続である。
【００２２】
接続パイプ１８を介して、ポンプ２０と注入口１４ｃとが接続し、ポンプ２０で水Ｗを板状拡張体１４の内部空間１４ｂに注入充填する。水Ｗが内部空間１４ｂ内に注入充填されると、金属板状拡張体１４は、その注入充填圧を受けて、拡大膨張する。
【００２３】
このときの拡大膨張力は、非常に大きく、６０ｃｍ×６０ｃｍの金属板拡張体１４に、圧力３０ｋｇ／ｃｍ2の圧力が加わるように水Ｗを注入充填すると、その圧力の約１０％が、金属板状拡張体１４を変形させる力に消費され、残りの９０％の力、すなわち、２７ｋｇ／ｃｍ2の圧力が拡張体１４を拡張する力に使われ、その結果、約１００ＴＯＮの力で倒壊物１０を持ち上げるので、簡単に約５０ｃｍ程度持ち上げることができる。
【００２４】
なお、ポンプ２０は、バッテリー駆動の小型軽量のものでよく、これに替えて、手動式のポンプとすることもできる。また、水Ｗの注入充填には、水道水が近傍にあれば、これを用いることもできる。
【００２５】
金属板状拡張体１４が拡大膨張されると、図４に示すように、その上部側の倒壊物１０がこれに伴って、上方に押し上げられ、押し上げられた倒壊物１０の下方に救命用の通路空間１２が形成され、通路空間１２が形成されると、この空間１２から人を救助することができる。
【００２６】
なお、図３に示した板状拡張体１４、接続パイプ１８、ポンプ２０付きタンク２２は、これらを１つのユニットとして、災害救助用の常備品として、所定の場所に準備しておくと短時間で現場に搬入することが可能である。
【００２７】
さて、以上のように構成した建築構造物の倒壊現場での人命救助方法では、扁平な金属板状拡張体１４を倒壊物１０の隙間に挿入し、水Ｗを注入して金属拡張体１４を膨張拡大させて倒壊物１０の隙間を拡大させ、救命用の通路空間１２とする。
【００２８】
このような金属板状拡張体１４は、扁平で簡単に運搬することができるとともに、これを膨張拡大させる流体には水を使用できるので、水道水が使用でき、短時間に救命用の通路空間１２を確保することが可能になる。
【００２９】
流体は、水Ｗに限る必要はなく、水以外の液体、例えばオイルを用いることもできる。
【００３０】
【発明の効果】
以上、詳細に説明したように、本発明の人命救助方法によれば、短時間に救命用の通路空間を確保することができる。
【図面の簡単な説明】
【図１】本発明にかかる人命救助方法が適用される倒壊現場の概略説明図。
【図２】金属板状拡張体を設置した状態の説明図。
【図３】金属板状拡張体に水Ｗを注入充填する際の説明図。
【図４】金属板状拡張体を膨張拡大させた際の説明図。
【符号の説明】
１０   倒壊物
１２   通路空間
１４   金属板状拡張体
１４ａ 鉄板
１４ｂ 内部空間
１４ｃ 注入口
１８   接続パイプ
２０   ポンプ
２２   タンク